(57)【要約】      （修正有）【課題】放電灯の寿命を向上できる放電灯駆動装置を提供する。【解決手段】第１期間および第２期間は、第１単位駆動期間を複数連続して有する第１交流期間と、第２単位駆動期間を複数連続して有する第２交流期間と、を有し、第１期間の第１交流期間および第２交流期間において、第１極性期間の長さは、第２極性期間の長さよりも大きく、第２期間の第１交流期間および第２交流期間において、第２極性期間の長さは、第１極性期間の長さよりも大きく、第１期間において、前記第２交流期間の、第２極性期間の長さに対する第１極性期間の長さの比である第１保持時間比は、第１交流期間の前記第１保持時間比よりも大きく、第２期間において、前記第２交流期間の、第１極性期間の長さに対する第２極性期間の長さの比である第２保持時間比は、第１交流期間の前記第２保持時間比よりも大きくする。【選択図】図７
2017091793.tif 000002
【特許請求の範囲】
【請求項１】
第１電極および第２電極を有する放電灯に駆動電流を供給する駆動部と、
前記駆動部を制御する制御部と、
を備え、
前記駆動電流は、前記放電灯に交流電流が供給される第１期間および第２期間を交互に
有し、
前記第１期間および前記第２期間は、前記第１電極が陽極となる第１極性期間と前記第
２電極が陽極となる第２極性期間とからなる第１単位駆動期間を複数連続して有する第１
交流期間と、前記第１電極が陽極となる第１極性期間と前記第２電極が陽極となる第２極
性期間とからなる第２単位駆動期間を複数連続して有する第２交流期間と、を有し、
前記第１期間の前記第１交流期間および前記第２交流期間において、前記第１極性期間
の長さは、前記第２極性期間の長さよりも大きく、
前記第２期間の前記第１交流期間および前記第２交流期間において、前記第２極性期間
の長さは、前記第１極性期間の長さよりも大きく、
前記第１期間において、前記第２交流期間の、前記第２極性期間の長さに対する前記第
１極性期間の長さの比である第１保持時間比は、前記第１交流期間の前記第１保持時間比
よりも大きく、
前記第２期間において、前記第２交流期間の、前記第１極性期間の長さに対する前記第
２極性期間の長さの比である第２保持時間比は、前記第１交流期間の前記第２保持時間比
よりも大きいことを特徴とする放電灯駆動装置。
【請求項２】
前記第１期間において、前記第２交流期間における前記第１極性期間の長さの最大値は
、前記第１交流期間における前記第１極性期間の長さの最大値よりも大きく、
前記第２期間において、前記第２交流期間における前記第２極性期間の長さの最大値は
、前記第１交流期間における前記第２極性期間の長さの最大値よりも大きい、請求項１に
記載の放電灯駆動装置。
【請求項３】
前記第１期間において、前記第１保持時間比は、時間的に増減する、請求項１または２
に記載の放電灯駆動装置。
【請求項４】
前記第２期間において、前記第２保持時間比は、時間的に増減する、請求項１から３の
いずれか一項に記載の放電灯駆動装置。
【請求項５】
前記第１期間と前記第２期間とのうちの少なくとも一方において、前記第１交流期間の
長さと前記第２交流期間の長さとは、概ね同じである、請求項１から４のいずれか一項に
記載の放電灯駆動装置。
【請求項６】
前記放電灯の電極間電圧を検出する検出部を備え、
前記制御部は、検出された前記電極間電圧が第１所定値よりも大きい場合、前記第１期
間において、前記第１保持時間比を、より大きい値に変化させる、請求項１から５のいず
れか一項に記載の放電灯駆動装置。
【請求項７】
前記第１期間において、変化した後の前記第１交流期間における前記第１保持時間比の
最大値は、変化する前の前記第２交流期間における前記第１保持時間比の最大値よりも大
きい、請求項６に記載の放電灯駆動装置。
【請求項８】
前記制御部は、検出された前記電極間電圧が前記第１所定値よりも大きい第２所定値よ
りも大きい場合、前記第１期間において、前記第１保持時間比を、より小さい値に変化さ
せる、請求項６または７に記載の放電灯駆動装置。
【請求項９】
前記制御部は、検出された前記電極間電圧が第１所定値よりも大きい場合、前記第２期
間において、前記第２保持時間比を、より大きい値に変化させる、請求項６から８のいず
れか一項に記載の放電灯駆動装置。
【請求項１０】
前記第２期間において、変化した後の前記第１交流期間における前記第２保持時間比の
最大値は、変化する前の前記第２交流期間における前記第２保持時間比の最大値よりも大
きい、請求項９に記載の放電灯駆動装置。
【請求項１１】
前記第２交流期間における前記第１保持時間比の平均値の増加幅は、前記第１交流期間
における前記第１保持時間比の平均値の増加幅よりも大きい、請求項６から１０のいずれ
か一項に記載の放電灯駆動装置。
【請求項１２】
前記制御部は、前記第２極性期間の長さを変化させることで、前記第１保持時間比を変
化させる、請求項６から１１のいずれか一項に記載の放電灯駆動装置。
【請求項１３】
光を射出する前記放電灯と、
請求項１から１２のいずれか一項に記載の放電灯駆動装置と、
を備えることを特徴とする光源装置。
【請求項１４】
請求項１３に記載の光源装置と、
前記光源装置から射出される光を画像信号に応じて変調する光変調装置と、
前記光変調装置により変調された光を投射する投射光学系と、
を備えることを特徴とするプロジェクター。
【請求項１５】
第１電極および第２電極を有する放電灯に駆動電流を供給して、前記放電灯を駆動する
放電灯駆動方法であって、
前記放電灯に交流電流が供給される第１期間および第２期間が交互に繰り返され、
前記第１期間および前記第２期間は、前記第１電極が陽極となる第１極性期間と前記第
２電極が陽極となる第２極性期間とからなる第１単位駆動期間を複数連続して有する第１
交流期間と、前記第１電極が陽極となる第１極性期間と前記第２電極が陽極となる第２極
性期間とからなる第２単位駆動期間を複数連続して有する第２交流期間と、を有し、
前記第１期間の前記第１交流期間および前記第２交流期間において、前記第１極性期間
の長さは、前記第２極性期間の長さよりも大きく、
前記第２期間の前記第１交流期間および前記第２交流期間において、前記第２極性期間
の長さは、前記第１極性期間の長さよりも大きく、
前記第１期間において、前記第２交流期間の、前記第２極性期間の長さに対する前記第
１極性期間の長さの比である第１保持時間比は、前記第１交流期間の前記第１保持時間比
よりも大きく、
前記第２期間において、前記第２交流期間の、前記第１極性期間の長さに対する前記第
２極性期間の長さの比である第２保持時間比は、前記第１交流期間の前記第２保持時間比
よりも大きいことを特徴とする放電灯駆動方法。
【発明の詳細な説明】
【技術分野】
【０００１】
本発明は、放電灯駆動装置、光源装置、プロジェクター、および放電灯駆動方法に関す
る。
【背景技術】
【０００２】
放電灯が劣化してランプ電圧が低下すると、電極が溶融しにくくなるため、電極先端の
突起が細くなり、放電灯の劣化が加速的に進行する問題が知られている。
これに対して、例えば、特許文献１に示すように、放電灯に供給される交流電流の間に
直流電流を挿入し、放電灯の劣化状態の進行に伴って直流電流成分を増加させる方法が提
案されている。
【先行技術文献】
【特許文献】
【０００３】
【特許文献１】特開２０１１−２３２８８号公報
【発明の概要】
【発明が解決しようとする課題】
【０００４】
しかしながら、上記のような方法では、直流電流によって陽極となる側の電極先端の突
起の溶融量が向上される一方で、陰極となる側の電極の温度は低下するため、陰極となる
側の電極先端の形状が変形し、フリッカーが生じる問題があった。したがって、放電灯の
寿命を十分に向上できない場合があった。
【０００５】
本発明の一つの態様は、上記問題点に鑑みて成されたものであって、放電灯の寿命を向
上できる放電灯駆動装置、そのような放電灯駆動装置を備える光源装置、およびそのよう
な光源装置を備えるプロジェクターを提供することを目的の一つとする。また、本発明の
一つの態様は、放電灯の寿命を向上できる放電灯駆動方法を提供することを目的の一つと
する。
【課題を解決するための手段】
【０００６】
本発明の放電灯駆動装置の一つの態様は、第１電極および第２電極を有する放電灯に駆
動電流を供給する駆動部と、前記駆動部を制御する制御部と、を備え、前記駆動電流は、
前記放電灯に交流電流が供給される第１期間および第２期間を交互に有し、前記第１期間
および前記第２期間は、前記第１電極が陽極となる第１極性期間と前記第２電極が陽極と
なる第２極性期間とからなる第１単位駆動期間を複数連続して有する第１交流期間と、前
記第１電極が陽極となる第１極性期間と前記第２電極が陽極となる第２極性期間とからな
る第２単位駆動期間を複数連続して有する第２交流期間と、を有し、前記第１期間の前記
第１交流期間および前記第２交流期間において、前記第１極性期間の長さは、前記第２極
性期間の長さよりも大きく、前記第２期間の前記第１交流期間および前記第２交流期間に
おいて、前記第２極性期間の長さは、前記第１極性期間の長さよりも大きく、前記第１期
間において、前記第２交流期間の、前記第２極性期間の長さに対する前記第１極性期間の
長さの比である第１保持時間比は、前記第１交流期間の前記第１保持時間比よりも大きく
、前記第２期間において、前記第２交流期間の、前記第１極性期間の長さに対する前記第
２極性期間の長さの比である第２保持時間比は、前記第１交流期間の前記第２保持時間比
よりも大きいことを特徴とする。
【０００７】
本発明の放電灯駆動装置の一つの態様によれば、第１期間において第１極性期間の長さ
が第２極性期間の長さよりも大きい。そのため、第１期間において、第１極性期間におい
て陽極となる第１電極における先端の突起の溶融量を向上できる。一方で、単位駆動期間
ごとに第１極性期間よりも短い時間、反対極性となる第２極性期間が設けられているため
、第２極性期間において陽極となる第２電極の温度が低下することを抑制できる。これに
より、第２電極における先端の突起が変形することを抑制でき、フリッカーが生じること
を抑制できる。第２期間についても、極性が反転している点を除いて同様である。
【０００８】
したがって、本発明の放電灯駆動装置の一つの態様によれば、加熱される側の電極にお
ける先端の突起の溶融量を向上させつつ、加熱されるのと逆側の電極における先端の突起
の変形を抑制してフリッカーを抑制できるため、放電灯の寿命を向上できる放電灯駆動装
置が得られる。
【０００９】
また、第１保持時間比が異なる第１交流期間と第２交流期間とが設けられることで、第
１期間において第１電極に加えられる熱負荷の変化を大きくできる。そのため、第１期間
において、第１電極に加えられる熱負荷による刺激を大きくでき、突起を成長させやすい
。第２期間についても、極性が反転している点を除いて同様である。
【００１０】
前記第１期間において、前記第２交流期間における前記第１極性期間の長さの最大値は
、前記第１交流期間における前記第１極性期間の長さの最大値よりも大きく、前記第２期
間において、前記第２交流期間における前記第２極性期間の長さの最大値は、前記第１交
流期間における前記第２極性期間の長さの最大値よりも大きい構成としてもよい。
この構成によれば、第１交流期間と第２交流期間とにおいて、電極に加えられる熱負荷
による刺激を大きくでき、突起を成長させやすい。
【００１１】
前記第１期間において、前記第１保持時間比は、時間的に増減する構成としてもよい。
この構成によれば、第１電極に加えられる熱負荷を好適に変化させることができ、突起
をより成長させやすい。
【００１２】
前記第２期間において、前記第２保持時間比は、時間的に増減する構成としてもよい。
この構成によれば、第２電極に加えられる熱負荷を好適に変化させることができ、突起
をより成長させやすい。
【００１３】
前記第１期間と前記第２期間とのうちの少なくとも一方において、前記第１交流期間の
長さと前記第２交流期間の長さとは、概ね同じである構成としてもよい。
この構成によれば、電極の温度変化を緩やかにできる。
【００１４】
前記放電灯の電極間電圧を検出する検出部を備え、前記制御部は、検出された前記電極
間電圧が第１所定値よりも大きい場合、前記第１期間において、前記第１保持時間比を、
より大きい値に変化させる構成としてもよい。
この構成によれば、放電灯が劣化した場合に、第１電極の突起を成長させやすい。
【００１５】
前記第１期間において、変化した後の前記第１交流期間における前記第１保持時間比の
最大値は、変化する前の前記第２交流期間における前記第１保持時間比の最大値よりも大
きい構成としてもよい。
この構成によれば、放電灯が劣化した場合に、第１電極の突起をより成長させやすい。
【００１６】
前記制御部は、検出された前記電極間電圧が前記第１所定値よりも大きい第２所定値よ
りも大きい場合、前記第１期間において、前記第１保持時間比を、より小さい値に変化さ
せる構成としてもよい。
この構成によれば、放電灯の劣化が比較的大きく進行した場合に、突起が消失すること
を抑制できる。
【００１７】
前記制御部は、検出された前記電極間電圧が第１所定値よりも大きい場合、前記第２期
間において、前記第２保持時間比を、より大きい値に変化させる構成としてもよい。
この構成によれば、放電灯が劣化した場合に、第１電極の突起および第２電極の突起の
両方を、成長させやすい。
【００１８】
前記第２期間において、変化した後の前記第１交流期間における前記第２保持時間比の
最大値は、変化する前の前記第２交流期間における前記第２保持時間比の最大値よりも大
きい構成としてもよい。
この構成によれば、放電灯が劣化した場合に、第１電極の突起および第２電極の突起の
両方を、より成長させやすい。
【００１９】
前記第２交流期間における前記第１保持時間比の平均値の増加幅は、前記第１交流期間
における前記第１保持時間比の平均値の増加幅よりも大きい構成としてもよい。
この構成によれば、放電灯が劣化した場合に、熱負荷による刺激をより大きくでき、第
１電極の突起をより成長させやすい。
【００２０】
前記制御部は、前記第２極性期間の長さを変化させることで、前記第１保持時間比を変
化させる構成としてもよい。
この構成によれば、第２電極の温度が低下することを抑制しつつ、第１電極に加えられ
る熱負荷を変化させることができる。
【００２１】
本発明の光源装置の一つの態様は、光を射出する前記放電灯と、上記の放電灯駆動装置
と、を備えることを特徴とする。
【００２２】
本発明の光源装置の一つの態様によれば、上記の放電灯駆動装置を備えるため、放電灯
の寿命を向上できる。
【００２３】
本発明のプロジェクターの一つの態様は、上記の光源装置と、前記光源装置から射出さ
れる光を画像信号に応じて変調する光変調装置と、前記光変調装置により変調された光を
投射する投射光学系と、を備えることを特徴とする。
【００２４】
本発明のプロジェクターの一つの態様によれば、上記の光源装置を備えるため、放電灯
の寿命を向上できる。
【００２５】
本発明の放電灯駆動方法の一つの態様は、第１電極および第２電極を有する放電灯に駆
動電流を供給して、前記放電灯を駆動する放電灯駆動方法であって、前記放電灯に交流電
流が供給される第１期間および第２期間が交互に繰り返され、前記第１期間および前記第
２期間は、前記第１電極が陽極となる第１極性期間と前記第２電極が陽極となる第２極性
期間とからなる第１単位駆動期間を複数連続して有する第１交流期間と、前記第１電極が
陽極となる第１極性期間と前記第２電極が陽極となる第２極性期間とからなる第２単位駆
動期間を複数連続して有する第２交流期間と、を有し、前記第１期間の前記第１交流期間
および前記第２交流期間において、前記第１極性期間の長さは、前記第２極性期間の長さ
よりも大きく、前記第２期間の前記第１交流期間および前記第２交流期間において、前記
第２極性期間の長さは、前記第１極性期間の長さよりも大きく、前記第１期間において、
前記第２交流期間の、前記第２極性期間の長さに対する前記第１極性期間の長さの比であ
る第１保持時間比は、前記第１交流期間の前記第１保持時間比よりも大きく、前記第２期
間において、前記第２交流期間の、前記第１極性期間の長さに対する前記第２極性期間の
長さの比である第２保持時間比は、前記第１交流期間の前記第２保持時間比よりも大きい
ことを特徴とする。
【００２６】
本発明の放電灯駆動方法の一つの態様によれば、上述したのと同様に、放電灯の寿命を
向上できる。
【図面の簡単な説明】
【００２７】
【図１】本実施形態のプロジェクターの概略構成図である。
【図２】本実施形態における放電灯を示す図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の駆動電流が有する期間の変化の一例を示す図である。
【図８】本実施形態の駆動電流波形の一例を示す図である。
【図９】本実施形態の駆動電流波形の一例を示す図である。
【発明を実施するための形態】
【００２８】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２９】
図１に示すように、本実施形態のプロジェクター５００は、光源装置２００と、平行化
レンズ３０５と、照明光学系３１０と、色分離光学系３２０と、３つの液晶ライトバルブ
（光変調装置）３３０Ｒ，３３０Ｇ，３３０Ｂと、クロスダイクロイックプリズム３４０
と、投射光学系３５０と、を備えている。
【００３０】
光源装置２００から射出された光は、平行化レンズ３０５を通過して照明光学系３１０
に入射する。平行化レンズ３０５は、光源装置２００からの光を平行化する。
【００３１】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００３２】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号に応じてそれぞれ変調される。液晶ライトバルブ３３０Ｒ，３３０
Ｇ，３３０Ｂは、後述する液晶パネル５６０Ｒ，５６０Ｇ，５６０Ｂと、偏光板（図示せ
ず）と、を備えている。偏光板は、液晶パネル５６０Ｒ，５６０Ｇ，５６０Ｂのそれぞれ
の光入射側および光射出側に配置される。
【００３３】
変調された３つの色光は、クロスダイクロイックプリズム３４０により合成される。合
成光は投射光学系３５０に入射する。投射光学系３５０は、入射光をスクリーン７００（
図３参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００３４】
図２は、光源装置２００の構成を示す断面図である。光源装置２００は、光源ユニット
２１０と、放電灯点灯装置（放電灯駆動装置）１０と、を備えている。図２には、光源ユ
ニット２１０の断面図が示されている。光源ユニット２１０は、主反射鏡１１２と、放電
灯９０と、副反射鏡１１３と、を備えている。
【００３５】
放電灯点灯装置１０は、放電灯９０に駆動電流Ｉを供給して放電灯９０を点灯させる。
主反射鏡１１２は、放電灯９０から放出された光を照射方向Ｄに向けて反射する。照射方
向Ｄは、放電灯９０の光軸ＡＸと平行である。
【００３６】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００３７】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００３８】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３９】
第１端子５３６および第２端子５４６は、放電灯点灯装置１０に接続されている。放電
灯点灯装置１０は、第１端子５３６および第２端子５４６に、放電灯９０を駆動するため
の駆動電流Ｉを供給する。その結果、第１電極９２および第２電極９３の間でアーク放電
が起きる。アーク放電により発生した光（放電光）は、破線の矢印で示すように、放電位
置から全方向に向かって放射される。
【００４０】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００４１】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００４２】
固定部材１１４，５２２の材料は、放電灯９０からの発熱に耐え得る耐熱材料である範
囲内において、特に限定されず、例えば、無機接着剤である。主反射鏡１１２および副反
射鏡１１３と放電灯９０との配置を固定する方法としては、主反射鏡１１２および副反射
鏡１１３を放電灯９０に固定する方法に限らず、任意の方法を採用できる。例えば、放電
灯９０と主反射鏡１１２とを、独立にプロジェクター５００の筐体（図示せず）に固定し
てもよい。副反射鏡１１３についても同様である。
【００４３】
以下、プロジェクター５００の回路構成について説明する。
図３は、本実施形態のプロジェクター５００の回路構成の一例を示す図である。プロジ
ェクター５００は、図１に示した光学系の他、画像信号変換部５１０と、直流電源装置８
０と、液晶パネル５６０Ｒ，５６０Ｇ，５６０Ｂと、画像処理装置５７０と、ＣＰＵ（Ce
ntral Processing Unit）５８０と、を備えている。
【００４４】
画像信号変換部５１０は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００４５】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００４６】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５１０、画像処理装置５７０およびトランスの１次側
にある放電灯点灯装置１０に直流電圧を供給する。
【００４７】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００４８】
液晶パネル５６０Ｒ，５６０Ｇ，５６０Ｂは、前述した液晶ライトバルブ３３０Ｒ，３
３０Ｇ，３３０Ｂにそれぞれ備えられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００４９】
ＣＰＵ５８０は、プロジェクター５００の点灯開始から消灯に至るまでの各種の動作を
制御する。例えば、図３の例では、通信信号５８２を介して点灯命令や消灯命令を放電灯
点灯装置１０に出力する。ＣＰＵ５８０は、放電灯点灯装置１０から通信信号５８４を介
して放電灯９０の点灯情報を受け取る。
【００５０】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と
、制御部４０と、動作検出部６０と、イグナイター回路７０と、を備えている。
【００５１】
電力制御回路２０は、放電灯９０に供給する駆動電力Ｗｄを生成する。本実施形態にお
いては、電力制御回路２０は、直流電源装置８０からの電圧を入力とし、入力電圧を降圧
して直流電流Ｉｄを出力するダウンチョッパー回路で構成されている。
【００５２】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００５３】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、後述する制御部４０から電流制御信号が入力されてスイッ
チ素子２１のＯＮ／ＯＦＦが制御される。電流制御信号には、例えば、ＰＷＭ（Pulse Wi
dth Modulation）制御信号が用いられてもよい。
【００５４】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００５５】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００５６】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００５７】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５８】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５９】
本実施形態において、電力制御回路２０と極性反転回路３０とを合わせた部分が放電灯
駆動部（駆動部）２３０に対応する。すなわち、放電灯駆動部２３０は、放電灯９０を駆
動する駆動電流Ｉを放電灯９０に供給する。
【００６０】
制御部４０は、放電灯駆動部２３０を制御する。図４の例では、制御部４０は、電力制
御回路２０および極性反転回路３０を制御することにより、駆動電流Ｉが同一極性を継続
する保持時間、駆動電流Ｉの電流値（駆動電力Ｗｄの電力値）、周波数等のパラメーター
を制御する。制御部４０は、極性反転回路３０に対して、駆動電流Ｉの極性反転タイミン
グにより、駆動電流Ｉが同一極性で継続する保持時間、駆動電流Ｉの周波数等を制御する
極性反転制御を行う。制御部４０は、電力制御回路２０に対して、出力される直流電流Ｉ
ｄの電流値を制御する電流制御を行う。
【００６１】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００６２】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧（電極
間電圧）Ｖｌａおよび駆動電流Ｉに基づき、電力制御回路コントローラー４２および極性
反転回路コントローラー４３を制御してもよい。
【００６３】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００６４】
電力制御回路コントローラー４２は、システムコントローラー４１からの制御信号に基
づき、電力制御回路２０へ電流制御信号を出力することにより、電力制御回路２０を制御
する。
【００６５】
極性反転回路コントローラー４３は、システムコントローラー４１からの制御信号に基
づき、極性反転回路３０へ極性反転制御信号を出力することにより、極性反転回路３０を
制御する。
【００６６】
制御部４０は、専用回路を用いて実現され、上述した制御や後述する処理の各種制御を
行うようにすることができる。これに対して、制御部４０は、例えば、ＣＰＵが記憶部４
４に記憶された制御プログラムを実行することによりコンピューターとして機能し、これ
らの処理の各種制御を行うようにすることもできる。
【００６７】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６８】
図４に示した例では、制御部４０は、放電灯点灯装置１０の一部として構成されている
。これに対して、制御部４０の機能の一部をＣＰＵ５８０が担うように構成されていても
よい。
【００６９】
動作検出部６０は、本実施形態においては、放電灯９０のランプ電圧Ｖｌａを検出して
制御部４０にランプ電圧情報を出力する電圧検出部を含む。また、動作検出部６０は、駆
動電流Ｉを検出して制御部４０に駆動電流情報を出力する電流検出部などを含んでいても
よい。本実施形態においては、動作検出部６０は、第１の抵抗６１、第２の抵抗６２およ
び第３の抵抗６３を含んで構成されている。
【００７０】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００７１】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００７２】
図６（Ａ），（Ｂ）には、第１電極９２および第２電極９３の先端部分が示されている
。第１電極９２および第２電極９３の先端にはそれぞれ突起５５２ｐ，５６２ｐが形成さ
れている。
【００７３】
第１電極９２と第２電極９３の間で生じる放電は、主として突起５５２ｐと突起５６２
ｐとの間で生じる。本実施形態のように突起５５２ｐ，５６２ｐがある場合には、突起が
無い場合と比べて、第１電極９２および第２電極９３における放電位置（アーク位置）の
移動を抑えることができる。
【００７４】
図６（Ａ）は、第１電極９２が陽極として動作し、第２電極９３が陰極として動作する
第１極性状態を示している。第１極性状態では、放電により、第２電極９３（陰極）から
第１電極９２（陽極）へ電子が移動する。陰極（第２電極９３）からは電子が放出される
。陰極（第２電極９３）から放出された電子は陽極（第１電極９２）の先端に衝突する。
この衝突によって熱が生じ、陽極（第１電極９２）の先端（突起５５２ｐ）の温度が上昇
する。
【００７５】
図６（Ｂ）は、第１電極９２が陰極として動作し、第２電極９３が陽極として動作する
第２極性状態を示している。第２極性状態では、第１極性状態とは逆に、第１電極９２か
ら第２電極９３へ電子が移動する。その結果、第２電極９３の先端（突起５６２ｐ）の温
度が上昇する。
【００７６】
このように、放電灯９０に駆動電流Ｉが供給されることで、電子が衝突する陽極の温度
は上昇する。一方、電子を放出する陰極は、陽極に向けて電子を放出している間、温度は
低下する。
【００７７】
第１電極９２と第２電極９３との電極間距離は、突起５５２ｐ，５６２ｐの劣化ととも
に大きくなる。突起５５２ｐ，５６２ｐが損耗するためである。電極間距離が大きくなる
と、第１電極９２と第２電極９３との間の抵抗が大きくなるため、ランプ電圧Ｖｌａが大
きくなる。したがって、ランプ電圧Ｖｌａを参照することによって、電極間距離の変化、
すなわち、放電灯９０の劣化度合いを検出することができる。
【００７８】
なお、第１電極９２と第２電極９３とは、同様の構成であるため、以下の説明において
は、代表して第１電極９２についてのみ説明する場合がある。また、第１電極９２の先端
の突起５５２ｐと第２電極９３の先端の突起５６２ｐとは、同様の構成であるため、以下
の説明においては、代表して突起５５２ｐについてのみ説明する場合がある。
【００７９】
次に、制御部４０による放電灯駆動部２３０の制御について説明する。
図７は、本実施形態の放電灯９０に供給される駆動電流Ｉが有する期間の変化を示す図
である。図７において、横軸は時間Ｔを示している。
【００８０】
駆動電流Ｉは、図７に示すように、第１期間ＰＨ１と、第２期間ＰＨ２と、第３期間Ｐ
Ｈ３と、を有する。本実施形態において駆動電流Ｉは、第３期間ＰＨ３を挟んで、第１期
間ＰＨ１および第２期間ＰＨ２を交互に有する。
【００８１】
第１期間ＰＨ１は、第２電極９３よりも第１電極９２が加熱される期間である。第１期
間ＰＨ１は、第１交流期間ＰＨ１１と、第２交流期間ＰＨ１２と、第３交流期間ＰＨ１３
と、を有する。第２期間ＰＨ２は、第１電極９２よりも第２電極９３が加熱される期間で
ある。第２期間ＰＨ２は、第１交流期間ＰＨ２１と、第２交流期間ＰＨ２２と、第３交流
期間ＰＨ２３と、を有する。
【００８２】
第１交流期間ＰＨ１１と第１交流期間ＰＨ２１とは、極性が反転している点を除いて同
様である。第２交流期間ＰＨ１２と第２交流期間ＰＨ２２とは、極性が反転している点を
除いて同様である。第３交流期間ＰＨ１３と第３交流期間ＰＨ２３とは、極性が反転して
いる点を除いて同様である。そのため、以下の説明においては、代表して、第１交流期間
ＰＨ１１、第２交流期間ＰＨ１２、および第３交流期間ＰＨ１３についてのみ説明する場
合がある。
【００８３】
図８（Ａ）は、第１交流期間ＰＨ１１の駆動電流波形を示す図である。図８（Ｂ）は、
第２交流期間ＰＨ１２の駆動電流波形を示す図である。図８（Ｃ）は、第３交流期間ＰＨ
１３の駆動電流波形を示す図である。図９（Ａ）は、第１交流期間ＰＨ２１の駆動電流波
形を示す図である。図９（Ｂ）は、第２交流期間ＰＨ２２の駆動電流波形を示す図である
。図９（Ｃ）は、第３交流期間ＰＨ２３の駆動電流波形を示す図である。図８（Ａ）から
図８（Ｃ）および図９（Ａ）から図９（Ｃ）において、縦軸は駆動電流Ｉを示しており、
横軸は時間Ｔを示している。
【００８４】
本実施形態において制御部４０は、図８（Ａ）から図８（Ｃ）および図９（Ａ）から図
９（Ｃ）に示す駆動電流波形に従って放電灯駆動部２３０を制御する。各期間において、
放電灯９０には、駆動電流Ｉとして、電流値Ｉｍ１と電流値−Ｉｍ１との間で極性が反転
される交流電流が供給される。
【００８５】
図８（Ａ）に示すように、第１交流期間ＰＨ１１は、第１電極９２が陽極となる第１極
性期間Ｐ１１ａと第２電極９３が陽極となる第２極性期間Ｐ１１ｂとからなる第１単位駆
動期間Ｕ１１を複数連続して有する。本実施形態において第１交流期間ＰＨ１１は、例え
ば、３つの第１単位駆動期間Ｕ１１、すなわち、第１単位駆動期間Ｕ１１ａと、第１単位
駆動期間Ｕ１１ｂと、第１単位駆動期間Ｕ１１ｃとがこの順で連続するサイクルＣ１１を
有する。第１交流期間ＰＨ１１は、複数のサイクルＣ１１が連続して構成されている。
【００８６】
図８（Ｂ）に示すように、第２交流期間ＰＨ１２は、第１電極９２が陽極となる第１極
性期間Ｐ１２ａと第２電極９３が陽極となる第２極性期間Ｐ１２ｂとからなる第２単位駆
動期間Ｕ１２を複数連続して有する。本実施形態において第２交流期間ＰＨ１２は、例え
ば、３つの第２単位駆動期間Ｕ１２、すなわち、第２単位駆動期間Ｕ１２ａと、第２単位
駆動期間Ｕ１２ｂと、第２単位駆動期間Ｕ１２ｃとがこの順で連続するサイクルＣ１２を
有する。第２交流期間ＰＨ１２は、複数のサイクルＣ１２が連続して構成されている。
【００８７】
図８（Ｃ）に示すように、第３交流期間ＰＨ１３は、第１電極９２が陽極となる第１極
性期間Ｐ１３ａと第２電極９３が陽極となる第２極性期間Ｐ１３ｂとからなる第３単位駆
動期間Ｕ１３を複数連続して有する。本実施形態において第３交流期間ＰＨ１３は、例え
ば、３つの第３単位駆動期間Ｕ１３、すなわち、第３単位駆動期間Ｕ１３ａと、第３単位
駆動期間Ｕ１３ｂと、第３単位駆動期間Ｕ１３ｃとがこの順で連続するサイクルＣ１３を
有する。第３交流期間ＰＨ１３は、複数のサイクルＣ１３が連続して構成されている。
【００８８】
第１期間ＰＨ１に含まれる各交流期間、すなわち第１交流期間ＰＨ１１、第２交流期間
ＰＨ１２および第３交流期間ＰＨ１３においては、第１極性期間の長さは、第２極性期間
よりも大きい。すなわち、第１極性期間Ｐ１１ａの長さｔ１１ａは、第２極性期間Ｐ１１
ｂの長さｔ１１ｂよりも大きい。第１極性期間Ｐ１２ａの長さｔ１２ａは、第２極性期間
Ｐ１２ｂの長さｔ１２ｂよりも大きい。第１極性期間Ｐ１３ａの長さｔ１３ａは、第２極
性期間Ｐ１３ｂの長さｔ１３ｂよりも大きい。
【００８９】
これにより、第１期間ＰＨ１において複数の単位駆動期間を連続して有する各交流期間
では、第１極性期間の長さの合計が、第２極性期間の長さの合計よりも大きくなる。した
がって、第１期間ＰＨ１においては、第１極性期間において陽極となる第１電極９２が加
熱される。
【００９０】
図８（Ａ）に示すように、本実施形態の第１交流期間ＰＨ１１においては、各第１単位
駆動期間Ｕ１１ａ〜Ｕ１１ｃの長さは、例えば、互いに異なる。各第１単位駆動期間Ｕ１
１ａ〜Ｕ１１ｃにそれぞれ含まれる第１極性期間Ｐ１１ａの長さｔ１１ａは、例えば、互
いに異なる。また、各第１単位駆動期間Ｕ１１ａ〜Ｕ１１ｃにそれぞれ含まれる第２極性
期間Ｐ１１ｂの長さｔ１１ｂは、例えば、互いに異なる。第２交流期間ＰＨ１２の各第２
単位駆動期間Ｕ１２ａ〜Ｕ１２ｃおよび第３交流期間ＰＨ１３の各第３単位駆動期間Ｕ１
３ａ〜Ｕ１３ｃにおいても同様である。
【００９１】
第１交流期間ＰＨ１１において、第２極性期間Ｐ１１ｂの長さｔ１１ｂに対する第１極
性期間Ｐ１１ａの長さｔ１１ａの比、すなわち、第２極性の保持時間に対する第１極性の
保持時間の第１保持時間比Ｐｋｔ１は、第１範囲内にある。第２交流期間ＰＨ１２におい
て、第１保持時間比Ｐｋｔ１は、第２範囲内にある。第３交流期間ＰＨ１３において、第
１保持時間比Ｐｋｔ１は、第３範囲内にある。
【００９２】
第２範囲に含まれる値は、第１範囲に含まれる値および第３範囲に含まれる値よりも大
きい。第３範囲に含まれる値は、第１範囲に含まれる値よりも大きい。すなわち、第１期
間ＰＨ１において、第２交流期間ＰＨ１２の第１保持時間比Ｐｋｔ１は、第１交流期間Ｐ
Ｈ１１の第１保持時間比Ｐｋｔ１および第３交流期間ＰＨ１３の第１保持時間比Ｐｋｔ１
よりも大きい。また、第１期間ＰＨ１において、第３交流期間ＰＨ１３の第１保持時間比
Ｐｋｔ１は、第１交流期間ＰＨ１１第１保持時間比Ｐｋｔ１よりも大きい。
【００９３】
すなわち、本実施形態の第１期間ＰＨ１において、第２交流期間ＰＨ１２における第１
保持時間比Ｐｋｔ１の平均値は、第１交流期間ＰＨ１１における第１保持時間比Ｐｋｔ１
の平均値、および第３交流期間ＰＨ１３における第１保持時間比Ｐｋｔ１の平均値よりも
大きい。本実施形態の第１期間ＰＨ１において、第３交流期間ＰＨ１３における第１保持
時間比Ｐｋｔ１の平均値は、第１交流期間ＰＨ１１における第１保持時間比Ｐｋｔ１の平
均値よりも大きい。
【００９４】
図７に示す第１交流期間ＰＨ１１の長さｔ１１と第２交流期間ＰＨ１２の長さｔ１２と
第３交流期間ＰＨ１３の長さｔ１３とは、例えば、概ね同じである。第１交流期間ＰＨ１
１の長さｔ１１と第２交流期間ＰＨ１２の長さｔ１２と第３交流期間ＰＨ１３の長さｔ１
３とは、例えば、１．０ｓ（秒）程度である。
【００９５】
なお、本明細書において、２つの期間の長さが概ね同じである、とは、２つの期間の長
さの比が、０．８以上、１．２以下程度である範囲を含む。
【００９６】
図８（Ａ）から図８（Ｃ）に示す各交流期間における各単位駆動期間の長さの平均値は
、例えば、第１単位駆動期間Ｕ１１、第３単位駆動期間Ｕ１３、第２単位駆動期間Ｕ１２
の順に大きくなる。第２交流期間ＰＨ１２における第１極性期間Ｐ１２ａの長さｔ１２ａ
の最大値は、第１交流期間ＰＨ１１における第１極性期間Ｐ１１ａの長さｔ１１ａの最大
値、および第３交流期間ＰＨ１３における第１極性期間Ｐ１３ａの長さｔ１３ａの最大値
よりも大きい。第３交流期間ＰＨ１３における第１極性期間Ｐ１３ａの長さｔ１３ａの最
大値は、第１交流期間ＰＨ１１における第１極性期間Ｐ１１ａの長さｔ１１ａの最大値よ
りも大きい。
【００９７】
本実施形態においては、交流期間ごとに単位駆動期間の長さが異なるため、３つの各単
位駆動期間で構成される各サイクルの長さは、互いに異なる。各サイクルの長さが互いに
異なり、各交流期間の長さが互いに概ね同じであるため、各交流期間に含まれるサイクル
の数は、それぞれ異なる。具体的には、各交流期間に含まれる各サイクルの数は、第２交
流期間ＰＨ１２のサイクルＣ１２、第３交流期間ＰＨ１３のサイクルＣ１３、第１交流期
間ＰＨ１１のサイクルＣ１１の順に多くなる。
【００９８】
第１交流期間ＰＨ１１における第１単位駆動期間Ｕ１１の第１極性期間Ｐ１１ａの長さ
ｔ１１ａ、第２極性期間Ｐ１１ｂの長さｔ１１ｂ、および第１保持時間比Ｐｋｔ１の一例
を表１に示す。
【００９９】
【表１】
2017091793.tif 000003
【０１００】
第２交流期間ＰＨ１２における第２単位駆動期間Ｕ１２の第１極性期間Ｐ１２ａの長さ
ｔ１２ａ、第２極性期間Ｐ１２ｂの長さｔ１２ｂ、および第１保持時間比Ｐｋｔ１の一例
を表２に示す。
【０１０１】
【表２】
2017091793.tif 000004
【０１０２】
第３交流期間ＰＨ１３における第３単位駆動期間Ｕ１３の第１極性期間Ｐ１３ａの長さ
ｔ１３ａ、第２極性期間Ｐ１３ｂの長さｔ１３ｂ、および第１保持時間比Ｐｋｔ１の一例
を表３に示す。
【０１０３】
【表３】
2017091793.tif 000005
【０１０４】
表１では、第１交流期間ＰＨ１１における第１保持時間比Ｐｋｔ１の第１範囲は、例え
ば、１．０よりも大きく、かつ、１．５以下である。表２では、第２交流期間ＰＨ１２に
おける第１保持時間比Ｐｋｔ１の第２範囲は、例えば、１．５よりも大きく、かつ、２．
０以下である。表３では、第３交流期間ＰＨ１３における第１保持時間比Ｐｋｔ１の第３
範囲は、例えば、２．０よりも大きい。
【０１０５】
表１では、第１極性期間Ｐ１１ａの長さｔ１１ａおよび第２極性期間Ｐ１１ｂの長さｔ
１１ｂは、第１単位駆動期間Ｕ１１ａ、第１単位駆動期間Ｕ１１ｃ、第１単位駆動期間Ｕ
１１ｂの順に大きくなる。これにより、第１単位駆動期間Ｕ１１の長さは、第１単位駆動
期間Ｕ１１ａ、第１単位駆動期間Ｕ１１ｃ、第１単位駆動期間Ｕ１１ｂの順に大きくなる
。
【０１０６】
表２では、第１極性期間Ｐ１２ａの長さｔ１２ａおよび第２極性期間Ｐ１２ｂの長さｔ
１２ｂは、第２単位駆動期間Ｕ１２ａ、第２単位駆動期間Ｕ１２ｃ、第２単位駆動期間Ｕ
１２ｂの順に大きくなる。これにより、第２単位駆動期間Ｕ１２の長さは、第２単位駆動
期間Ｕ１２ａ、第２単位駆動期間Ｕ１２ｃ、第２単位駆動期間Ｕ１２ｂの順に大きくなる
。
【０１０７】
表３では、第１極性期間Ｐ１３ａの長さｔ１３ａおよび第２極性期間Ｐ１３ｂの長さｔ
１３ｂは、第３単位駆動期間Ｕ１３ａ、第３単位駆動期間Ｕ１３ｃ、第３単位駆動期間Ｕ
１３ｂの順に大きくなる。これにより、第３単位駆動期間Ｕ１３の長さは、第３単位駆動
期間Ｕ１３ａ、第３単位駆動期間Ｕ１３ｃ、第３単位駆動期間Ｕ１３ｂの順に大きくなる
。
【０１０８】
上述したように図８（Ａ）に示すサイクルＣ１１においては、第１単位駆動期間Ｕ１１
ａと、第１単位駆動期間Ｕ１１ｂと、第１単位駆動期間Ｕ１１ｃと、がこの順で設けられ
る。これにより、第１交流期間ＰＨ１１においては、第１極性期間Ｐ１１ａの長さｔ１１
ａが時間的に増減する。
【０１０９】
上述したように図８（Ｂ）に示すサイクルＣ１２においては、第２単位駆動期間Ｕ１２
ａと、第２単位駆動期間Ｕ１２ｂと、第２単位駆動期間Ｕ１２ｃと、がこの順で設けられ
る。これにより、第２交流期間ＰＨ１２においては、第１極性期間Ｐ１２ａの長さｔ１２
ａが時間的に増減する。
【０１１０】
上述したように図８（Ｃ）に示すサイクルＣ１３においては、第３単位駆動期間Ｕ１３
ａと、第３単位駆動期間Ｕ１３ｂと、第３単位駆動期間Ｕ１３ｃと、がこの順で設けられ
る。これにより、第３交流期間ＰＨ１３においては、第１極性期間Ｐ１３ａの長さｔ１３
ａが時間的に増減する。
したがって、第１期間ＰＨ１において第１極性期間の長さは、時間的に増減する。
【０１１１】
表１から表３に示すように、各単位駆動期間における第１保持時間比Ｐｋｔ１は、例え
ば、交流期間ごとに概ね同じである。
【０１１２】
図７では、第１期間ＰＨ１は、第１交流期間ＰＨ１１、第３交流期間ＰＨ１３、第２交
流期間ＰＨ１２、第３交流期間ＰＨ１３、第１交流期間ＰＨ１１がこの順に連続して構成
される。これにより、第１期間ＰＨ１において第１保持時間比Ｐｋｔ１は、第１交流期間
ＰＨ１１から、第３交流期間ＰＨ１３を介して、第２交流期間ＰＨ１２までは、交流期間
ごとに大きくなり、第２交流期間ＰＨ１２から、２つめの第３交流期間ＰＨ１３を介して
、２つめの第１交流期間ＰＨ１１までは、交流期間ごとに小さくなる。これにより、第１
期間ＰＨ１において、第１保持時間比Ｐｋｔ１は、時間的に増減する。
【０１１３】
図９（Ａ）から図９（Ｃ）は、第２期間ＰＨ２における各交流期間の駆動電流波形を示
す。
図９（Ａ）に示すように、第１交流期間ＰＨ２１は、第１電極９２が陽極となる第１極
性期間Ｐ２１ａと第２電極９３が陽極となる第２極性期間Ｐ２１ｂとからなる第１単位駆
動期間Ｕ２１を複数連続して有する。本実施形態において第１交流期間ＰＨ２１は、例え
ば、３つの第１単位駆動期間Ｕ２１、すなわち、第１単位駆動期間Ｕ２１ａと、第１単位
駆動期間Ｕ２１ｂと、第１単位駆動期間Ｕ２１ｃとがこの順で連続するサイクルＣ２１を
有する。第１交流期間ＰＨ２１は、複数のサイクルＣ２１が連続して構成されている。
【０１１４】
図９（Ｂ）に示すように、第２交流期間ＰＨ２２は、第１電極９２が陽極となる第１極
性期間Ｐ２２ａと第２電極９３が陽極となる第２極性期間Ｐ２２ｂとからなる第２単位駆
動期間Ｕ２２を複数連続して有する。本実施形態において第２交流期間ＰＨ２２は、例え
ば、３つの第２単位駆動期間Ｕ２２、すなわち、第２単位駆動期間Ｕ２２ａと、第２単位
駆動期間Ｕ２２ｂと、第２単位駆動期間Ｕ２２ｃとがこの順で連続するサイクルＣ２２を
有する。第２交流期間ＰＨ２２は、複数のサイクルＣ２２が連続して構成されている。
【０１１５】
図９（Ｃ）に示すように、第３交流期間ＰＨ２３は、第１電極９２が陽極となる第１極
性期間Ｐ２３ａと第２電極９３が陽極となる第２極性期間Ｐ２３ｂとからなる第３単位駆
動期間Ｕ２３を複数連続して有する。本実施形態において第３交流期間ＰＨ２３は、例え
ば、３つの第３単位駆動期間Ｕ２３、すなわち、第３単位駆動期間Ｕ２３ａと、第３単位
駆動期間Ｕ２３ｂと、第３単位駆動期間Ｕ２３ｃとがこの順で連続するサイクルＣ２３を
有する。第３交流期間ＰＨ２３は、複数のサイクルＣ２３が連続して構成されている。
【０１１６】
第２期間ＰＨ２に含まれる各交流期間、すなわち第１交流期間ＰＨ２１、第２交流期間
ＰＨ２２および第３交流期間ＰＨ２３においては、第２極性期間の長さは、第１極性期間
よりも大きい。すなわち、第２極性期間Ｐ２１ｂの長さｔ２１ｂは、第１極性期間Ｐ２１
ａの長さｔ２１ａよりも大きい。第２極性期間Ｐ２２ｂの長さｔ２２ｂは、第１極性期間
Ｐ２２ａの長さｔ２２ａよりも大きい。第２極性期間Ｐ２３ｂの長さｔ２３ｂは、第１極
性期間Ｐ２３ａの長さｔ２３ａよりも大きい。
【０１１７】
これにより、第２期間ＰＨ２において複数の単位駆動期間を連続して有する各交流期間
では、第２極性期間の長さの合計が、第１極性期間の長さの合計よりも大きくなる。した
がって、第２期間ＰＨ２においては、第２極性期間において陽極となる第２電極９３が加
熱される。
【０１１８】
第１交流期間ＰＨ２１において、第１極性期間Ｐ２１ａの長さｔ２１ａに対する第２極
性期間Ｐ２１ｂの長さｔ２１ｂの比、すなわち、第１極性の保持時間に対する第２極性の
保持時間の第２保持時間比Ｐｋｔ２は、第４範囲内にある。第２交流期間ＰＨ２２におい
て、第２保持時間比Ｐｋｔ２は、第５範囲内にある。第３交流期間ＰＨ２３において、第
２保持時間比Ｐｋｔ２は、第６範囲内にある。
【０１１９】
本実施形態において第４範囲は、第１範囲と同じであり、第５範囲は、第２範囲と同じ
であり、第６範囲は、第３範囲と同じである。すなわち、第５範囲に含まれる値は、第４
範囲に含まれる値および第６範囲に含まれる値よりも大きい。第６範囲に含まれる値は、
第４範囲に含まれる値よりも大きい。言い換えると、第２期間ＰＨ２において、第２交流
期間ＰＨ２２の第２保持時間比Ｐｋｔ２は、第１交流期間ＰＨ２１の第２保持時間比Ｐｋ
ｔ２および第３交流期間ＰＨ２３の第２保持時間比Ｐｋｔ２よりも大きい。また、第２期
間ＰＨ２において、第３交流期間ＰＨ２３の第２保持時間比Ｐｋｔ２は、第１交流期間Ｐ
Ｈ２１の第２保持時間比Ｐｋｔ２よりも大きい。
【０１２０】
すなわち、本実施形態の第２期間ＰＨ２において、第２交流期間ＰＨ２２における第２
保持時間比Ｐｋｔ２の平均値は、第１交流期間ＰＨ２１における第２保持時間比Ｐｋｔ２
の平均値、および第３交流期間ＰＨ２３における第２保持時間比Ｐｋｔ２よりも大きい。
本実施形態の第２期間ＰＨ２において、第３交流期間ＰＨ２３における第２保持時間比Ｐ
ｋｔ２の平均値は、第１交流期間ＰＨ２１における第２保持時間比Ｐｋｔ２の平均値より
も大きい。
【０１２１】
図７に示す第１交流期間ＰＨ２１の長さｔ２１と第２交流期間ＰＨ２２の長さｔ２２と
第３交流期間ＰＨ２３の長さｔ２３とは、例えば、概ね同じである。
【０１２２】
図９（Ａ）から図９（Ｃ）に示す各交流期間における各単位駆動期間の長さの平均値は
、例えば、第１単位駆動期間Ｕ２１、第３単位駆動期間Ｕ２３、第２単位駆動期間Ｕ２２
の順に大きくなる。第２交流期間ＰＨ２２における第２極性期間Ｐ２２ｂの長さｔ２２ｂ
の最大値は、第１交流期間ＰＨ２１における第２極性期間Ｐ２１ｂの長さｔ２１ｂの最大
値、および第３交流期間ＰＨ２３における第２極性期間Ｐ２３ｂの長さｔ２３ｂの最大値
よりも大きい。第３交流期間ＰＨ２３における第２極性期間Ｐ２３ｂの長さｔ２３ｂの最
大値は、第１交流期間ＰＨ２１における第２極性期間Ｐ２１ｂの長さｔ２１ｂの最大値よ
りも大きい。
【０１２３】
第１保持時間比Ｐｋｔ１と同様に、第２期間ＰＨ２において、第２保持時間比Ｐｋｔ２
は、時間的に増減する。
【０１２４】
なお、第１期間ＰＨ１および第２期間ＰＨ２において、各極性期間の長さは、０．２５
ｍｓ（ミリ秒）以上、２５ｍｓ（ミリ秒）以下程度が好ましい。これにより、第１電極９
２に熱負荷を好適に加えやすく、また、第１電極９２に熱負荷を加える際に、第２電極９
３の温度が低下することを好適に抑制しやすい。
【０１２５】
また、第１保持時間比Ｐｋｔ１および第２保持時間比Ｐｋｔ２は、１より大きく、１０
０以下程度が好ましい。このように設定することで、陽極となる電極に好適に熱負荷を加
えつつ、陰極となる電極の温度の低下を好適に抑制しやすい。
【０１２６】
図７に示す第３期間ＰＨ３は、第１期間ＰＨ１の直後および第２期間ＰＨ２の直後に、
連続して設けられる。第３期間ＰＨ３においては、放電灯９０に所定の周波数を有する交
流電流が供給される。言い換えると、第３期間ＰＨ３において、保持時間比が１．０の交
流電流が放電灯９０に供給される。一例として、第３期間ＰＨ３において放電灯９０に供
給される交流電流の周波数は、３００Ｈｚ程度である。第３期間ＰＨ３の長さｔ３は、第
１期間ＰＨ１の長さｔ１および第２期間ＰＨ２の長さｔ２よりも小さい。第３期間ＰＨ３
の長さｔ３は、各交流期間の長さよりも小さい。
【０１２７】
本実施形態において制御部４０は、検出されたランプ電圧Ｖｌａが第１所定値よりも大
きい場合、第１期間ＰＨ１において、第１保持時間比Ｐｋｔ１を、より大きい値に変化さ
せる。
【０１２８】
変化した後の第１保持時間比Ｐｋｔ１の一例を表４から表６に示す。表４には、変化し
た後の第１交流期間ＰＨ１１における第１極性期間Ｐ１１ａの長さｔ１１ａ、第２極性期
間Ｐ１１ｂの長さｔ１１ｂ、および第１保持時間比Ｐｋｔ１の一例が示されている。表５
には、変化した後の第２交流期間ＰＨ１２における第１極性期間Ｐ１２ａの長さｔ１２ａ
、第２極性期間Ｐ１２ｂの長さｔ１２ｂ、および第１保持時間比Ｐｋｔ１の一例が示され
ている。表６には、変化した後の第３交流期間ＰＨ１３における第１極性期間Ｐ１３ａの
長さｔ１３ａ、第２極性期間Ｐ１３ｂの長さｔ１３ｂ、および第１保持時間比Ｐｋｔ１の
一例が示されている。
【０１２９】
【表４】
2017091793.tif 000006
【０１３０】
【表５】
2017091793.tif 000007
【０１３１】
【表６】
2017091793.tif 000008
【０１３２】
表４では、変化した後の第１交流期間ＰＨ１１における第１保持時間比Ｐｋｔ１の第１
範囲は、例えば、１．２よりも大きく、かつ、２．５以下である。表５では、変化した後
の第２交流期間ＰＨ１２における第１保持時間比Ｐｋｔ１の第２範囲は、例えば、３．０
よりも大きく、かつ、１０．０以下である。表６では、変化した後の第３交流期間ＰＨ１
３における第１保持時間比Ｐｋｔ１の第３範囲は、例えば、１０．０よりも大きい。
【０１３３】
表４から表６では、第１範囲から第３範囲のいずれにおいても、第１保持時間比Ｐｋｔ
１の最小値および最大値は、変化する前に比べて大きくなっている。
【０１３４】
表２および表４に示すように、第１期間ＰＨ１において、変化した後の第１交流期間Ｐ
Ｈ１１における第１保持時間比Ｐｋｔ１の最大値（表４における第１保持時間比Ｐｋｔ１
，２．５）は、変化する前の第２交流期間ＰＨ１２における第１保持時間比Ｐｋｔ１の最
大値（表２における第１保持時間比Ｐｋｔ１，２．４）よりも大きい。
【０１３５】
本実施形態において制御部４０は、検出されたランプ電圧Ｖｌａが第１所定値よりも大
きい第２所定値よりも大きい場合、第１期間ＰＨ１において、第１保持時間比Ｐｋｔ１を
、より小さい値に変化させる。一例として、制御部４０は、ランプ電圧Ｖｌａが第２所定
値よりも大きい場合、第１保持時間比Ｐｋｔ１を、表４から表６に示す値から、表１から
表３に示す値に戻す。
【０１３６】
表４から表６においては、表１から表３に示した値に比べて、第１保持時間比Ｐｋｔ１
の平均値は大きくなっている。すなわち、表４に示す第１保持時間比Ｐｋｔ１の平均値は
、表１に示す第１保持時間比Ｐｋｔ１の平均値と比べて、大きい。表５に示す第１保持時
間比Ｐｋｔ１の平均値は、表２に示す第１保持時間比Ｐｋｔ１の平均値と比べて、大きい
。表６に示す第１保持時間比Ｐｋｔ１の平均値は、表３に示す第１保持時間比Ｐｋｔ１の
平均値と比べて、大きい。
【０１３７】
このように制御部４０は、検出されたランプ電圧Ｖｌａが第１所定値よりも大きい場合
、第１期間ＰＨ１において、第１保持時間比Ｐｋｔ１の平均値を大きくする。
【０１３８】
表１から表６に示すように、第２交流期間ＰＨ１２における第１保持時間比Ｐｋｔ１の
増加幅は、第１交流期間ＰＨ１１における第１保持時間比Ｐｋｔ１の増加幅および第３交
流期間ＰＨ１３における第１保持時間比Ｐｋｔ１の増加幅よりも大きい。第３交流期間Ｐ
Ｈ１３における第１保持時間比Ｐｋｔ１の増加幅は、第１交流期間ＰＨ１１における第１
保持時間比Ｐｋｔ１の増加幅よりも大きい。
【０１３９】
すなわち、第１保持時間比Ｐｋｔ１の増加幅は、第１交流期間ＰＨ１１、第３交流期間
ＰＨ１３、第２交流期間ＰＨ１２の順に大きくなる。これにより、第１保持時間比Ｐｋｔ
１の平均値が大きい交流期間ほど、ランプ電圧Ｖｌａが第１所定値よりも大きくなった際
の、第１保持時間比Ｐｋｔ１の増加幅が大きい。
【０１４０】
制御部４０は、検出されたランプ電圧Ｖｌａが第１所定値よりも大きい第２所定値より
も大きい場合、第１期間ＰＨ１において、第１保持時間比Ｐｋｔ１の平均値を小さくする
。一例として、制御部４０は、ランプ電圧Ｖｌａが第２所定値よりも大きい場合、第１保
持時間比Ｐｋｔ１を、表４から表６に示す値から、表１から表３に示す値に戻す。
【０１４１】
表１から表６に示すように、変化前と変化後とで、各交流期間において第１極性期間の
長さは、同じである。すなわち、本実施形態において制御部４０は、第２極性期間の長さ
を変化させることで、第１保持時間比Ｐｋｔ１を変化させる。
【０１４２】
上述した制御部４０によるランプ電圧Ｖｌａに基づいた第１保持時間比Ｐｋｔ１の変化
は、第２期間ＰＨ２における第２保持時間比Ｐｋｔ２についても同様である。すなわち、
制御部４０は、第２期間ＰＨ２において、第２保持時間比Ｐｋｔ２を、より大きい値に変
化させる。第２期間ＰＨ２において、変化した後の第１交流期間ＰＨ２１における第２保
持時間比Ｐｋｔ２の最大値は、例えば、変化する前の第２交流期間ＰＨ２２における第２
保持時間比Ｐｋｔ２の最大値よりも大きい。
【０１４３】
以上に説明したように、本実施形態の制御部４０は、上記説明した各期間に応じた駆動
電流Ｉが放電灯９０に供給されるようにして放電灯駆動部２３０を制御する。
【０１４４】
上記の制御部４０による放電灯駆動部２３０の制御は、放電灯駆動方法として表現する
こともできる。すなわち、本実施形態の放電灯駆動方法は、第１電極９２および第２電極
９３を有する放電灯９０に駆動電流Ｉを供給して、放電灯９０を駆動する放電灯駆動方法
であって、放電灯９０に交流電流が供給される第１期間ＰＨ１および第２期間ＰＨ２が交
互に繰り返され、第１期間ＰＨ１および第２期間ＰＨ２は、第１電極９２が陽極となる第
１極性期間と第２電極９３が陽極となる第２極性期間とからなる第１単位駆動期間を複数
連続して有する第１交流期間と、第１電極９２が陽極となる第１極性期間と第２電極９３
が陽極となる第２極性期間とからなる第２単位駆動期間を複数連続して有する第２交流期
間と、を有し、第１期間ＰＨ１の第１交流期間ＰＨ１１および第２交流期間ＰＨ１２にお
いて、第１極性期間の長さは第２極性期間の長さよりも大きく、第２期間ＰＨ２の第１交
流期間ＰＨ２１および第２交流期間ＰＨ２２において、第２極性期間の長さは第１極性期
間の長さよりも大きく、第１期間ＰＨ１において、第２交流期間ＰＨ１２の、第２極性期
間の長さに対する第１極性期間の長さの比である第１保持時間比Ｐｋｔ１は、第１交流期
間ＰＨ１１の第１保持時間比Ｐｋｔ１よりも大きく、第２期間ＰＨ２において、第２交流
期間のＰＨ２２の、第１極性期間の長さに対する第２極性期間の長さの比である第２保持
時間比Ｐｋｔ２は、第１交流期間ＰＨ２１の第２保持時間比Ｐｋｔ２よりも大きいことを
特徴とする。
【０１４５】
本実施形態によれば、第１期間ＰＨ１における第１交流期間ＰＨ１１から第３交流期間
ＰＨ１３を構成する、第１単位駆動期間Ｕ１１から第３単位駆動期間Ｕ１３において、第
１保持時間比Ｐｋｔ１が１よりも大きい交流電流が放電灯９０に供給される。そのため、
第１期間ＰＨ１（第１交流期間ＰＨ１１から第３交流期間ＰＨ１３）において、第１極性
期間の長さの合計が、第２極性期間の長さの合計よりも大きくなり、第１極性期間におい
て陽極となる第１電極９２の突起５５２ｐの溶融量を向上できる。
【０１４６】
一方で、各交流期間を構成する複数の単位駆動期間ごとに、第１極性期間よりも短い時
間、反対極性となる第２極性期間が設けられているため、第２極性期間において陽極とな
る第２電極９３の温度が低下することを抑制できる。これにより、第２電極９３の突起５
６２ｐが変形することを抑制でき、フリッカーが生じることを抑制できる。第２期間ＰＨ
２においても、極性が反転する点を除いて同様である。
【０１４７】
したがって、本実施形態によれば、加熱される側の電極における先端の突起の溶融量を
向上させつつ、加熱されるのと逆側の電極における先端の突起の変形を抑制してフリッカ
ーを抑制できるため、放電灯９０の寿命を向上できる放電灯駆動装置が得られる。
【０１４８】
また、第１期間ＰＨ１において、第２交流期間ＰＨ１２における第１保持時間比Ｐｋｔ
１は、第１交流期間ＰＨ１１における第１保持時間比Ｐｋｔ１よりも大きい。そのため、
第１交流期間ＰＨ１１と第２交流期間ＰＨ１２とが設けられることで、第１電極９２に加
えられる熱負荷が時間的に変化し、第１電極９２の突起５５２ｐの溶融量が時間的に変化
する。これにより、突起５５２ｐにおける溶融する範囲が時間的に変化し、突起５５２ｐ
全体をバランスよく溶融しやすい。したがって、本実施形態によれば、突起５５２ｐの形
状を、太く安定して維持することができる。
【０１４９】
また、本実施形態によれば、交流期間は、第１保持時間比Ｐｋｔ１の範囲がそれぞれ異
なる第１交流期間ＰＨ１１から第３交流期間ＰＨ１３までの３つが設けられるため、第１
電極９２に加えられる熱負荷の変化をより大きくできる。したがって、より突起５５２ｐ
を安定して維持しやすい。
【０１５０】
また、本実施形態によれば、第１交流期間ＰＨ１１から第３交流期間ＰＨ１３において
、単位駆動期間ごとに第１極性期間の長さが変化する。これにより、第１電極９２が加熱
される時間が変化することで、第２電極９３が陽極となる第２極性期間が設けられる間隔
が変化する。そのため、第１期間ＰＨ１において、第２電極９３に加えられる熱負荷によ
る刺激を時間的に変動させることができる。したがって、第１期間ＰＨ１において、第２
電極９３に単調に熱負荷を加える場合に比べて、第２電極９３の突起５６２ｐを成長させ
やすく、突起５６２ｐの形状を維持しやすい。
【０１５１】
また、本実施形態によれば、第１期間ＰＨ１において、第２交流期間ＰＨ１２における
第１極性期間Ｐ１２ａの長さの最大値は、第１交流期間ＰＨ１１における第１極性期間Ｐ
１１ａの長さの最大値よりも大きい。そのため、第２交流期間ＰＨ１２において、第１電
極９２に加えられる熱負荷をより大きくしやすい。これにより、第１交流期間ＰＨ１１と
第２交流期間ＰＨ１２とにおいて第１電極９２に加えられる熱負荷の差をより大きくする
ことができ、第１電極９２に加えられる熱負荷による刺激をより大きくできる。したがっ
て、第１電極９２の突起５５２ｐを成長させやすく、突起５５２ｐをより安定して維持で
きる。これは、第２期間ＰＨ２においても、極性が反転している点を除いて同様である。
そのため、第２電極９３の突起５６２ｐも、第１電極９２の突起５５２ｐと同様に、より
安定して維持できる。
【０１５２】
また、本実施形態によれば、第１期間ＰＨ１において第１保持時間比Ｐｋｔ１は、時間
的に増減する。これにより、第１電極９２に加えられる熱負荷を好適に変化させることが
でき、突起５５２ｐをより成長させやすい。
【０１５３】
また、本実施形態によれば、第２期間ＰＨ２において第２保持時間比Ｐｋｔ２は、時間
的に増減する。これにより、第２電極９３に加えられる熱負荷を好適に変化させることが
でき、突起５６２ｐをより成長させやすい。
【０１５４】
また、例えば、第１電極９２の温度が急激に上昇すると、第１電極９２が短い時間に多
量に溶融し蒸発する。これにより、蒸発した第１電極９２の成分が放電灯９０の内壁に局
所的に付着しやすく、黒化および失透が生じる虞がある。
【０１５５】
これに対して本実施形態によれば、第１期間ＰＨ１において、第１交流期間ＰＨ１１の
長さｔ１１と第２交流期間ＰＨ１２の長さｔ１２とは、概ね同じである。そのため、各交
流期間に含まれる単位駆動期間の数は、単位駆動期間の長さが大きいほど少なく、単位駆
動期間の長さが小さいほど多い。これにより、例えば、第１極性期間の長さが比較的大き
く第１電極９２に加えられる熱負荷が大きい第２交流期間ＰＨ１２においては、第１電極
９２の温度が過度に上昇することを抑制しつつ、第１極性期間の長さが比較的小さく第１
電極９２に加えられる熱負荷が小さい第１交流期間ＰＨ１１においては、第１電極９２に
加えられる熱負荷が不十分となることを抑制できる。
【０１５６】
このように、各交流期間において第１電極９２に加えられる熱負荷を好適に調整でき、
第１電極９２の温度上昇を緩やかにすることができる。その結果、第１電極９２の温度が
急激に上昇することが抑制でき、第１電極９２の成分が放電灯９０内部に局所的に付着す
ることを抑制できる。したがって、本実施形態によれば、黒化および失透が生じることを
抑制できる。
【０１５７】
また、例えば、放電灯９０の劣化がある程度進行すると、第１電極９２の突起５５２ｐ
は溶融しにくくなる。そのため、放電灯９０が劣化するのに応じて、第１電極９２に加え
られる熱負荷を大きくすることが好ましい。
【０１５８】
これに対して本実施形態によれば、ランプ電圧Ｖｌａが第１所定値よりも大きい場合に
、第１保持時間比Ｐｋｔ１が、より大きい値に変化する。そのため、放電灯９０の劣化に
応じて、第１保持時間比Ｐｋｔ１を大きくして、第１電極９２に加えられる熱負荷を大き
くしやすい。これにより、放電灯９０が劣化した場合であっても、第１電極９２を好適に
溶融させることができる。
【０１５９】
また、本実施形態によれば、変化させた後の第１交流期間ＰＨ１１に含まれる第１保持
時間比Ｐｋｔ１の最大値は、変化させる前の第２交流期間ＰＨ１２に含まれる第１保持時
間比Ｐｋｔ１の最大値よりも大きい。そのため、ランプ電圧Ｖｌａが第１所定値よりも大
きくなった場合に、第１交流期間ＰＨ１１において第１電極９２に加えられる熱負荷をよ
り大きくすることができ、変化させた後の第１期間ＰＨ１全体において、第１電極９２に
加えられる熱負荷を好適に大きくできる。これにより、放電灯９０が劣化した場合であっ
ても、第１電極９２をより好適に溶融させることができる。
【０１６０】
また、例えば、放電灯９０の劣化がさらに進行すると、突起５５２ｐが細くなりやすい
ため、第１電極９２に加えられる熱負荷が大きいと、突起５５２ｐが消失する虞がある。
そのため、放電灯９０の劣化がある程度以上に進行した後は、第１電極９２に加えられる
熱負荷を小さくすることが好ましい。
【０１６１】
これに対して本実施形態によれば、ランプ電圧Ｖｌａが第１所定値よりも大きい第２所
定値よりも大きい場合に、第１保持時間比Ｐｋｔ１が、より小さい値に変化する。そのた
め、放電灯９０の劣化が比較的大きく進行した場合に、第１電極９２に加えられる熱負荷
を小さくでき、突起５５２ｐが消失することを抑制できる。その結果、放電灯９０の劣化
が比較的大きく進行した場合であっても、突起５５２ｐの形状を安定して維持しやすい。
【０１６２】
また、本実施形態によれば、第１期間ＰＨ１において、第１保持時間比Ｐｋｔ１の平均
値は、第１交流期間ＰＨ１１よりも第２交流期間ＰＨ１２の方が大きい。そのため、第１
交流期間ＰＨ１１と第２交流期間ＰＨ１２とで、第１電極９２に加えられる熱負荷を好適
に変化させることができる。これにより、第１電極９２の突起５５２ｐを好適に溶融しや
すく、成長させやすい。これは、第２期間ＰＨ２においても、極性が反転する点を除いて
同様である。
【０１６３】
また、本実施形態によれば、ランプ電圧Ｖｌａが第１所定値よりも大きい場合に、第１
期間ＰＨ１において、第１保持時間比Ｐｋｔ１の平均値を大きくする。そのため、放電灯
９０が劣化した場合に、第１期間ＰＨ１において第１電極９２に加えられる熱負荷を大き
くして、第１電極９２の突起５５２ｐをより溶融させることができる。
【０１６４】
また、本実施形態によれば、第２交流期間ＰＨ１２における第１保持時間比Ｐｋｔ１の
平均値の増加幅は、第１交流期間ＰＨ１１における第１保持時間比Ｐｋｔ１の平均値の増
加幅よりも大きい。これにより、第１保持時間比Ｐｋｔ１の平均値が大きい交流期間ほど
、より第１保持時間比Ｐｋｔ１の平均値を大きくすることができ、各交流期間同士の間に
おける第１保持時間比Ｐｋｔ１の平均値の差を大きくできる。したがって、第１期間ＰＨ
１において、第１電極９２に加えられる熱負荷の変化する幅をより大きくでき、第１電極
９２に加えられる熱負荷による刺激をより大きくすることができる。その結果、放電灯９
０が劣化した場合に、第１電極９２の突起５５２ｐをより溶融させやすく、成長させやす
い。
【０１６５】
また、本実施形態によれば、ランプ電圧Ｖｌａが第１所定値よりも大きい第２所定値よ
りも大きい場合に、第１期間ＰＨ１において、第１保持時間比Ｐｋｔ１の平均値を小さく
する。そのため、放電灯９０の劣化が比較的大きく進行した場合に、第１電極９２に加え
られる熱負荷を小さくすることができ、突起５５２ｐが消失することを抑制できる。
【０１６６】
また、本実施形態によれば、第２極性期間の長さを変化させることで、第１保持時間比
Ｐｋｔ１を変化させる。そのため、第１極性期間の長さを一定に保ちつつ、第１保持時間
比Ｐｋｔ１および平均値を変化させることができる。これにより、第２極性期間が設けら
れる間隔を変化前と変えることなく、第１電極９２に加えられる熱負荷を変化させること
ができる。したがって、第１期間ＰＨ１において、第２極性期間を好適な間隔で設けて第
２電極９３の温度が低下し過ぎることを好適に抑制しつつ、第１電極９２に加えられる熱
負荷を変化させることができる。
【０１６７】
上述した放電灯９０の劣化に応じた保持時間比の変化は、第２期間ＰＨ２における第２
保持時間比Ｐｋｔ２についても同様である。そのため、放電灯９０が劣化した場合であっ
ても、第２電極９３を好適に溶融して、突起５６２ｐの形状を安定して維持しやすい。
【０１６８】
また、本実施形態によれば、第１期間ＰＨ１と第２期間ＰＨ２との間に、所定周波数を
有する交流電流が放電灯９０に供給される第３期間ＰＨ３が設けられる。そのため、第１
期間ＰＨ１で溶融した第１電極９２および第２期間ＰＨ２で溶融した第２電極９３の形状
を第３期間ＰＨ３において整えやすい。
【０１６９】
なお、本実施形態においては、以下の構成および方法を採用することもできる。
【０１７０】
本実施形態において第１期間ＰＨ１に含まれる交流期間の数は、特に限定されず、２つ
であってもよいし、４つ以上であってもよい。また、各交流期間の長さは、互いに異なっ
ていてもよい。また、第１期間ＰＨ１と第２期間ＰＨ２とのうちのいずれか一方のみにお
いて、第１交流期間の長さと第２交流期間の長さと第３交流期間の長さとが概ね同じであ
ってもよい。
【０１７１】
また、本実施形態において第１期間ＰＨ１における各交流期間の数、順序等は、特に限
定されない。例えば、第２交流期間ＰＨ１２が第１交流期間ＰＨ１１に挟まれてもよい。
この場合、第１交流期間ＰＨ１１は第１保持時間比Ｐｋｔ１が比較的小さいため、例えば
第２交流期間ＰＨ１２と第３交流期間ＰＨ１３とが連続する場合に比べて、第１電極９２
の温度上昇を緩やかにすることができる。これにより、上述した急激な第１電極９２の温
度上昇に起因する黒化および失透が生じることを抑制しつつ、第１電極９２の突起５５２
ｐの形状を安定して維持できる。この構成は、ランプ電圧Ｖｌａが比較的低い場合に特に
有用である。ランプ電圧Ｖｌａが低く放電灯９０が劣化していない状態では、突起５５２
ｐが成長しやすく、温度上昇の変化を緩やかにすることで突起５５２ｐをより太くしやす
いためである。
【０１７２】
また、本実施形態において第１範囲と第４範囲とは、互いに異なってもよい。また、本
実施形態において第２範囲と第５範囲とは、互いに異なってもよい。また、本実施形態に
おいて第３範囲と第６範囲とは、互いに異なってもよい。
【０１７３】
また、本実施形態においては、ランプ電圧Ｖｌａの変化に応じて、第１保持時間比Ｐｋ
ｔ１を複数段階に分けて徐々に変化させてもよいし、連続的に変化させてもよい。
【０１７４】
また、ランプ電圧Ｖｌａの変化に応じて第１保持時間比Ｐｋｔ１を変化させる場合には
、第１保持時間比Ｐｋｔ１の最小値および最大値のうちのいずれか一方を変化させなくて
もよい。
【０１７５】
また、本実施形態においては、ランプ電圧Ｖｌａの変化に応じて、第１期間ＰＨ１に含
まれる各交流期間の割合を変化させてもよい。具体的には、例えば、ランプ電圧Ｖｌａが
所定値よりも大きくなった場合に、第１保持時間比Ｐｋｔ１が比較的大きい第２交流期間
ＰＨ１２の割合を大きくすることで、第１期間ＰＨ１において第１電極９２に加えられる
熱負荷を大きくすることができる。
【０１７６】
また、本実施形態において制御部４０は、駆動電力Ｗｄに基づいて、第１保持時間比Ｐ
ｋｔ１および平均値を変化させてもよい。具体的には、駆動電力Ｗｄが比較的小さい場合
に、第１保持時間比Ｐｋｔ１をより大きい値に変化してもよいし、あるいは、第１保持時
間比Ｐｋｔ１の平均値を大きくしてもよい。これにより、駆動電力Ｗｄが比較的小さく放
電灯９０に供給される駆動電流Ｉの値が小さい場合であっても、第１電極９２に好適に熱
負荷を加えることができ、突起５５２ｐの形状を安定して維持しやすい。
【０１７７】
また、本実施形態において、第１期間ＰＨ１における各サイクルＣ１１，Ｃ１２，Ｃ１
３、および第２期間ＰＨ２における各サイクルＣ２１，Ｃ２２，Ｃ２３は、各交流期間の
中で複数回連続して繰り返されたが、これに限らない。上記各サイクルが各交流期間にお
いて１回だけ設けられるように構成してもよいし、一部のサイクルが１回だけ設けられて
、他のサイクルが複数回連続して繰り返されるように構成してもよい。
【０１７８】
なお、上記実施形態において述べた各構成は、矛盾しない範囲内において、相互に組み
合わせることができる。
【０１７９】
また、上述の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１８０】
また、上述の実施形態において、３つの液晶パネル５６０Ｒ，５６０Ｇ，５６０Ｂ（液
晶ライトバルブ３３０Ｒ，３３０Ｇ，３３０Ｂ）を用いたプロジェクター５００の例を挙
げたが、本発明は、１つの液晶パネルのみを用いたプロジェクター、４つ以上の液晶パネ
ルを用いたプロジェクターにも適用可能である。
【符号の説明】
【０１８１】
１０…放電灯点灯装置（放電灯駆動装置）、４０…制御部、９０…放電灯、９２…第１
電極、９３…第２電極、２００…光源装置、２３０…放電灯駆動部（駆動部）、３３０Ｒ
，３３０Ｇ，３３０Ｂ…液晶ライトバルブ（光変調装置）、３５０…投射光学系、５００
…プロジェクター、５０２，５１２Ｒ，５１２Ｇ，５１２Ｂ…画像信号、Ｉ…駆動電流、
Ｐ１１ａ，Ｐ１２ａ，Ｐ１３ａ，Ｐ２１ａ，Ｐ２２ａ，Ｐ２３ａ…第１極性期間、Ｐ１１
ｂ，Ｐ１２ｂ，Ｐ１３ｂ，Ｐ２１ｂ，Ｐ２２ｂ，Ｐ２３ｂ…第２極性期間、ＰＨ１…第１
期間、ＰＨ１１，ＰＨ２１…第１交流期間、ＰＨ１２，ＰＨ２２…第２交流期間、ＰＨ２
…第２期間、Ｐｋｔ１…第１保持時間比、Ｐｋｔ２…第２保持時間比、Ｕ１１，Ｕ１１ａ
，Ｕ１１ｂ，Ｕ１１ｃ，Ｕ２１，Ｕ２１ａ，Ｕ２１ｂ，Ｕ２１ｃ…第１単位駆動期間、Ｕ
１２，Ｕ１２ａ，Ｕ１２ｂ，Ｕ１２ｃ，Ｕ２２，Ｕ２２ａ，Ｕ２２ｂ，Ｕ２２ｃ…第２単
位駆動期間、Ｖｌａ…ランプ電圧（電極間電圧）
【図１】
2017091793.tif 000009
【図２】
2017091793.tif 000010
【図３】
2017091793.tif 000011
【図４】
2017091793.tif 000012
【図５】
2017091793.tif 000013
【図６】
2017091793.tif 000014
【図７】
2017091793.tif 000015
【図８】
2017091793.tif 000016
【図９】
2017091793.tif 000017